(57)【要約】【課題】コーヒー等のホット飲料が充填された金属容器を手に持ったときに、加熱された金属容器の実際の温度を認識することができ、しかも、その熱さを和らげることができる断熱ラベルを提供する。【解決手段】金属缶Ｃにコーヒー飲料が充填された缶コーヒーＣＣの胴部外周面に装着される帯状の断熱ラベルであり、金属缶Ｃを開封してコーヒー飲料を飲む際に、唇をつける金属缶Ｃの胴部外周面の上端部が露出するように、その胴部外周面の略全面を覆うことができる高さ及び金属缶Ｃの胴部外周面をその全周にわたって覆うことができる長さを有している。この断熱ラベル１には、その高さ方向の中央部に矩形状の二つの穴１４、１４が形成されており、この断熱ラベル１を金属缶Ｃの胴部外周面に装着したとき、二つの穴１４、１４が相互に正反対の位置にくるように、その形成位置が設定されている。【選択図】　　　　図３
2004106857.tif 000002
【特許請求の範囲】
【請求項１】
ホット飲料が充填される金属容器の胴部外周面の略全面を覆うように装着される断熱ラベルであって、
前記金属容器の胴部を手に持ったときに、掌の一部が金属容器に触れることができるように、一または複数の穴が形成されていることを特徴とする断熱ラベル。
【請求項２】
胴部外周面に巻き付けるようにして、請求項１に記載の断熱ラベルが装着された金属容器であって、
前記断熱ラベルにおける前記穴が形成されている高さ位置に塗布された接着剤によって、前記断熱ラベルが前記胴部外周面に保持されている金属容器。
【発明の詳細な説明】
【０００１】
【発明の属する技術分野】
この発明は、コーヒーやスープ等のホット飲料が充填される金属容器の胴部外周面に装着される断熱ラベル及び断熱ラベルが装着された金属容器に関する。
【０００２】
【従来の技術】
例えば、コーヒー飲料が金属缶に充填された、所謂、缶コーヒー等については、冬場の寒い季節は、店頭や自動販売機で加熱した状態で販売されるのが一般的であるが、金属缶はスチールやアルミニウムからなり、表面に薄肉のフィルムや樹脂コート層が積層されたもので、熱伝導性に優れているため、加熱された缶コーヒー等はその表面温度が高く、直接手で持つことができないような場合がある。
【０００３】
従って、こういったホット飲料が充填される缶コーヒー等の金属容器には、その胴部外周面の略全面を覆うように、発泡樹脂シート等によって形成された断熱ラベルを予め装着しておくことにより、加熱された状態の金属容器を手に持ったときの熱さを和らげることが考えられる。
【０００４】
【特許文献１】
実開昭６４−４２１２５号公報
【特許文献２】
実開昭５８−２６５３３号公報
【特許文献３】
実開昭５９−１４３９７２号公報
【０００５】
【発明が解決しようとする課題】
しかしながら、こういった断熱ラベルを金属容器の胴部外周面に装着しておくと、逆に、手に持ったときに、加熱された金属容器の実際の温度を認識することができなくなり、金属容器を開封してホット飲料を飲み始める際に、突然、予期していない実際の金属容器の温度が唇に伝わってくるので、驚きや極端な不快感等を味わうといった問題がある。
【０００６】
そこで、この発明の課題は、コーヒー等のホット飲料が充填された金属容器を手に持ったときに、加熱された金属容器の実際の温度を認識することができ、しかも、その熱さを和らげることができる断熱ラベル及びそういった断熱ラベルが装着された金属容器を提供することにある。
【０００７】
【課題を解決するための手段及びその効果】
上記の課題を解決するため、請求項１にかかる発明は、ホット飲料が充填される金属容器の胴部外周面の略全面を覆うように装着される断熱ラベルであって、前記金属容器の胴部を手に持ったときに、掌の一部が金属容器に触れることができるように、一または複数の穴が形成されていることを特徴とする断熱ラベルを提供するものである。
【０００８】
以上のように構成された断熱ラベルを、胴部外周面の略全面を覆うように、ホット飲料が充填される金属容器に装着しておくと、加熱された金属容器を手に持ったとき、断熱ラベルに形成された一または複数の穴部分で、掌の一部が金属容器の胴部外周面に直接触れることになるので、金属容器の実際の表面温度を認識することができ、しかも、掌の大部分は、金属容器の胴部外周面に直接触れることがなく、断熱ラベルの表面に触れることになるので、金属容器の熱さを和らげることができる。
【０００９】
以上のように、この断熱ラベルが金属容器の胴部外周面に装着されたホット飲料を取得した者は、これを手に持った時点で、加熱された金属容器の表面が高温であることを既に認識しているので、金属容器を開封してホット飲料を飲み始める際に、実際の金属容器の温度（高温）が唇に伝わってきても、驚きや極端な不快感等を味わうことがない。
【００１０】
特に、請求項２にかかる発明のように、胴部外周面に巻き付けるようにして、請求項１に記載の断熱ラベルが装着された金属容器であって、前記断熱ラベルにおける前記穴が形成されている高さ位置に塗布された接着剤によって、前記断熱ラベルが前記胴部外周面に保持されているものにあっては、断熱ラベルに形成された穴をきっかけにして、金属容器の胴部外周面の周方向に断熱ラベルを帯状に破断しながら、金属容器の胴部外周面から剥離していくことによって、断熱ラベルにおける接着剤が塗布されている部分を簡単に切除することができ、装着された断熱ラベルを金属容器から簡単に外すことができる。
【００１１】
【発明の実施の形態】
以下、実施の形態について図面を参照して説明する。図１に示す断熱ラベル１は、図３（ａ）、（ｂ）に示すように、金属缶Ｃにコーヒー飲料が充填された缶コーヒーＣＣの胴部外周面に装着される帯状のラベルであり、金属缶Ｃを開封してコーヒー飲料を飲む際に、唇をつける金属缶Ｃの胴部外周面の上端部が露出するように、その胴部外周面の略全面を覆うことができる高さ及び金属缶Ｃの胴部外周面をその全周にわたって覆うことができる長さを有している。
【００１２】
この断熱ラベル１は、図２に示すように、発泡ポリスチレンからなる発泡層１１の外表面に非発泡ポリスチレンからなるスキン層１２が積層された発泡樹脂シートによって形成された厚さ０．１７（０．１〜０．３）ｍｍのラベル基材１０と、このラベル基材１０の外表面（スキン層１２の表面）に、グラビア印刷やフレキソ印刷、オフセット印刷、凸版輪転印刷等の印刷手法を用いて形成された表示印刷層１３とから構成されており、表示印刷層１３には、商品名や特徴的な図柄等が表示されている。なお、表示印刷層１３の表面には、透明ニスによって形成されたオーバーコート層が積層されていてもよい。
【００１３】
また、前記ラベル基材１０は、その短手方向（高さ方向）及び長手方向（横方向）の双方に延伸されているが、特に、長手方向（横方向）の延伸率が大きいため、断熱ラベル１は、その長手方向（横方向）に沿って、簡単に引き裂くことができるようになっている。なお、このラベル基材１０を構成する発泡ポリスチレンは、汎用ポリスチレン、ポリスチレンにブタジエン等を共重合させた樹脂等のスチレン成分を７０重量％以上含有したものを炭酸ガス等の発泡剤によって２〜１０倍程度発泡させたものである。
【００１４】
また、前記断熱ラベル１は、図１に示すように、その高さ方向の中央部に一辺が１０ｍｍ程度の矩形状の二つの穴１４、１４が、長手方向（横方向）に一定の間隔を開けた状態で形成されており、この断熱ラベル１を金属缶Ｃの胴部外周面に装着したとき、二つの穴１４、１４が相互に正反対の位置にくるように、その形成位置が設定されている。
【００１５】
以上のように構成された帯状の断熱ラベル１は、図３（ａ）、（ｂ）に示すように、金属缶Ｃの胴部外周面に巻き付けるようにして装着されており、所定幅で相互に重ね合わされる巻付始端Ｅ１の外表面と巻付終端Ｅ２の内表面とが有機溶剤によって接着されている。また、断熱ラベル１の内面には、図１及び図３（ａ）、（ｂ）に二点鎖線で示すように、穴１４、１４が形成されている高さ位置にホットメルト接着剤ＨＣがスポット的に塗布され、このホットメルト接着剤ＨＣによって、断熱ラベル１が金属缶Ｃの胴部外周面に保持されている。なお、ホットメルト接着剤ＨＣとしては、エチレン酢酸ビニル共重合体等を主成分とした一般的なものを使用することができるが、金属缶Ｃの胴部外周面よりもラベル基材１０の内面に対する接着力が強いものを使用することが望ましい。
【００１６】
以上のように、この断熱ラベル１は、金属缶Ｃの胴部外周面の略全面を覆うように、缶コーヒーＣＣに装着されており、しかも、断熱ラベル１には、その高さ方向の中央部に矩形状の二つの穴１４が形成されているので、図４に示すように、加熱された金属缶Ｃを手に持ったとき、断熱ラベル１に形成された穴１４部分で、掌の一部が金属缶Ｃの胴部外周面に直接触れることになるので、金属缶Ｃの実際の表面温度を認識することができ、しかも、掌の大部分は、金属缶Ｃの胴部外周面に直接触れることはなく、断熱ラベル１の表面に触れることになるので、手に持ったときの金属缶Ｃの熱さを和らげることができる。
【００１７】
従って、この缶コーヒーＣＣを購入または取得した者は、これを手に持った時点で、加熱された金属缶Ｃの表面が高温であることを即座に認識することができるので、金属缶Ｃを開封してコーヒー飲料を飲み始める際に、実際の金属缶Ｃの温度（高温）が唇に伝わってきても、驚きや極端な不快感等を味わうことがない。
【００１８】
また、この断熱ラベル１は、金属缶Ｃの胴部外周面に巻き付けるようにして装着されており、しかも、穴１４が形成されている高さ位置にスポット的に塗布されたホットメルト接着剤によって、金属缶Ｃの胴部外周面に保持されているので、図５に示すように、断熱ラベル１に形成された穴１４をきっかけにして、金属缶Ｃの胴部外周面の周方向に断熱ラベル１を帯状に破断しながら、金属缶Ｃの胴部外周面から剥離していくことによって、断熱ラベル１におけるホットメルト接着剤が塗布されている部分が簡単に切除され、装着された断熱ラベル１を金属缶Ｃから簡単に外すことができる。
【００１９】
なお、上述した実施形態では、金属缶Ｃの胴部外周面に巻き付けるようにして装着する帯状の断熱ラベル１について説明したが、これに限定されるものではなく、例えば、筒状のシュリンクラベルやストレッチラベルのように、熱収縮性や弾性伸縮性を有する発泡樹脂シートを筒状に形成し、金属缶Ｃの胴部に嵌挿して装着する筒状の断熱ラベルについても、予め、穴を形成しておくことによって、同様の効果を得ることができることはいうまでもない。
【００２０】
また、上述した実施形態では、金属缶Ｃの胴部外周面に装着したとき、相互に正反対の位置にくるように、断熱ラベル１の高さ方向の中央部に二つの穴１４、１４を形成しているが、これに限定されるものではなく、手に持ったときに、自然に掌の一部が穴部分に触れるように、穴の形成位置や穴の数については適宜設定すればよい。従って、穴の数は一または三以上であってもよく、複数の穴を形成する場合は、断熱ラベルの高さ方向に分散して配置することも可能である。
【００２１】
ただし、複数の穴を断熱ラベルの高さ方向に分散して配置する場合は、どの穴をきっかけとして帯状に破断すれば、断熱ラベルを金属缶Ｃから外すことができるのかを示す表示を設けておくことが望ましい。
【００２２】
また、上述した実施形態では、穴１４の形状として矩形状を採用しているが、これに限定されるものではなく、円形状、楕円形状、三角形状、半円形状、星形状等の幾何学形状の他、生産者や販売者等を示すロゴタイプ等、種々の形状を採用することも可能である。
【００２３】
ただし、上述したように、穴１４の周囲が金属缶Ｃの胴部外周面に貼着されない場合、例えば、星形状のように、穴の内側に周縁部が張り出すような穴形状を採用すると、内側に張り出した穴の周縁部がめくれ上がるおそれがあるので、そういった穴形状を採用しないほうが望ましい。
【００２４】
また、断熱ラベル１を金属缶Ｃから外す際における、断熱ラベル１の破断性能を考慮すると、例えば、図６（ａ）〜（ｃ）に示す、矩形状、三角形状、半円形状等のように、断熱ラベル１を破断するきっかけとなる角部αを有する穴形状を採用することが望ましい。なお、同図においては、破断ラインを一点鎖線で示している。
【００２５】
また、上述した実施形態では、一辺が１０ｍｍ程度の矩形状の穴１４を形成しているが、穴の大きさは、特に、限定されるものではなく、掌の一部が触れたときに、金属缶Ｃの温度を確実に認識することができるかどうかという観点から、適宜設定すればよい。
【００２６】
また、上述した実施形態では、発泡樹脂シートによって形成された断熱ラベルについて説明したが、これに限定されるものではなく、断熱性を有するのであれば、紙等、種々の素材によって形成することも可能である。ただし、上述した発泡ポリスチレン系樹脂からなる、長手方向（周方向）の延伸率が大きい発泡樹脂シートが、断熱性、引裂き性に優れているので、こういった発泡樹脂シートによって断熱ラベルを形成することが望ましい。
【００２７】
また、上述した実施形態では、円筒状の金属缶Ｃに断熱ラベル１を装着した場合について説明したが、これに限定されるものではなく、ホット飲料等が充填されるのであれば、例えば、ボトルタイプの金属缶等、種々の形状の金属容器についても、本発明の断熱ラベルを適用することができることはいうまでもない。
【図面の簡単な説明】
【図１】この発明にかかる断熱ラベルの一実施形態を示す平面図である。
【図２】同上の断熱ラベルを示す断面図である。
【図３】（ａ）、（ｂ）は同上の断熱ラベルを缶コーヒーの胴部外周面に装着した状態を示す斜視図である。
【図４】同上の缶コーヒーを手に持った状態を示す斜視図である。
【図５】同上の缶コーヒーに装着された断熱ラベルを破断する様子を示す斜視図である。
【図６】（ａ）〜（ｃ）は同上の断熱ラベルに形成される穴の好ましい形状を説明するための説明図である。
【符号の説明】
１　断熱ラベル
１０　ラベル基材
１１　発泡層
１２　スキン層
１３　表示印刷層
１４　穴
ＣＣ　缶コーヒー
Ｃ　金属缶（金属容器）
ＨＣ　ホットメルト接着剤
α　角部
【図１】
2004106857.tif 000003
【図２】
2004106857.tif 000004
【図３】
2004106857.tif 000005
【図４】
2004106857.tif 000006
【図５】
2004106857.tif 000007
【図６】
2004106857.tif 000008